(57)【要約】【課題】従来の割付表をそのまま利用し、リモートコントロール側の検出回路を変更することによって、容易にリモートコントロールの判別を行えるような回路を提供する。【解決手段】本体側に設けられるプルアップ抵抗Ｒ２１と、リモートコントロール側に並列に設けられるモード設定スイッチＳ１〜Ｓ１０と、その前段に設けられて、一方の側が接地され、他方がプルアップ抵抗Ｒ２１の他端側に接続されるホールドスイッチＳＷと、前記モード設定スイッチ間、及び、複数のモードスイッチの他端側に、互いに直列に設けられる電圧設定抵抗Ｒ１０〜Ｒ１９と、その最終段に、抵抗値の低いカナ表示設定用抵抗又は抵抗値の高い漢字表示設定用抵抗のどちらかが設けられる文字選択判別用抵抗Ｒ９と、を備え、さらに、プルアップ抵抗Ｒ２１の他端部とホールドスイッチＳＷ間に、更なる誤判定防止用の抵抗Ｒ２０が設定される。【選択図】  図４
2004350211.tif 000002
【特許請求の範囲】
【請求項１】
一端側が電源部に繋がり、本体側に設けられる第１の抵抗と、
リモートコントローラ側に設けられた複数のモードに対応して、それぞれ並列に設けられ、各々一方が接地される複数のモード設定スイッチと、
前記リモートコントローラ側に設けられたモード設定スイッチより前段に、前記モード設定スイッチと並列に設けられて、一端側が接地され、他端側が前記第１の抵抗の他端側に接続されるホールドスイッチと、
前記複数のモード設定スイッチ間、及び、前記複数のモード設定スイッチ他端側に、互いに直列に設けられるモード選択に対応するための複数の第２の抵抗と、
前記電圧設定抵抗の最終段に設けられる低抗値の低い第３の抵抗又は抵抗値の高い第４の抵抗と、を備え、
さらに、前記第１の抵抗の他端部と前記ホールドスイッチ間に、第５の抵抗が設けられていることを特徴とするリモートコントロールシステム。
【発明の詳細な説明】
【０００１】
【発明の属する技術分野】
本発明は、ディスク／半導体メモリ／磁気テープ等に記録された音声／音楽データ等の情報信号を再生する再生装置に使用する表示機能／モード設定機能を有するリモートコントロールシステムに関する。
【０００２】
【従来の技術】
情報信号再生装置として、例えば、ミニディスク再生装置（以下、ＭＤ再生装置という。）を例に挙げて説明を行う。前記ＭＤ再生装置は、記憶媒体であるミニディスク（以下、ディスクという。）に、デジタル記録された音声／音楽データ等の情報信号を再生するデジタルオーディオ機器である。このＭＤ再生装置においては、再生しているディスクに記録されているＵ−ＴＯＣ（Ｕｓｅｒ−Ｔａｂｌｅ  Ｏｆ  Ｃｏｎｔｅｎｔｓ）情報から、ディスクのタイトルや各トラックの曲名などを、付属されているリモートコントローラのＬＣＤ表示装置に表示している（例えば、特許文献１参照。）。
【０００３】
このリモートコントローラでは、複数のモード設定スイッチの内のいずれかのモード設定スイッチを押すことにより、ボリューム調整を行ったり、曲のサーチ操作やＰＬＡＹ操作を行ったりしている。また、ディスクのＵ−ＴＯＣ情報の中には、使用者が書き込んだカナ、漢字、或いは英数字の各種タイトルがあり、この情報を基にして、リモートコントロールのＬＣＤ表示装置に、カナ表示、漢字表示、或いは、英数字表示にて、各種タイトルを表示している。
【０００４】
ところが、ＭＤ再生装置によっては、ディスクのＵ−ＴＯＣ情報の中には、使用者が書き込んだカナ、漢字、或いは、英数字の各種タイトルが記録されているにも係わらず、カナ及び英数字しか表示できないリモートコントローラしか付属されていないものがあり、しかも、漢字表示リモートコントローラが別売されておらず、使用できないものがある。
【０００５】
また、カナ及び英数字しか表示できないリモートコントローラしか付属されていないが、別売品の漢字表示リモートコントローラを使用できるものもある。この場合、ＭＤ再生装置に差し込まれたリモートコントローラの種類が、カナ／英数字表示品であるか、漢字表示であるかを、ＭＤ再生装置内のマイコンにて識別し、マイコンより各リモートコントローラに送り出す表示データを、漢字対応、或いは、非漢字対応と振り分けていた。
【０００６】
図１（ａ）に、従来例の非漢字表示リモートコントローラ（リモコン）、図１（ｂ）に、漢字表示リモートコントローラ（リモコン）のモード設定スイッチ等の検出回路図と、ＭＤ再生装置内部のマイコンの検出回路図をそれぞれ示す。また、ＭＤ再生装置のマイコンには、図３に示すようなキーを検出するための割付表が設定されている。例えば、図１（ａ）または図１（ｂ）に示すように、ＨＯＬＤ−ＳＷ（ホールドスイッチ）がＯＦＦの時、ＰＬＡＹキーを押すとＲ１９の片側が接地され、ＭＤ再生装置の信号ＲＫＥＹには、ＭＤ再生装置側のプルアップ抵抗Ｒ２１とリモコン側の抵抗Ｒ１９によって分圧された電圧が出力される。この電圧をＡＤ変換した値をマイコンが検出し、ＭＤ再生装置をコントロールする。すなわち、この場合、分圧比は０．１３となるため、図３の割付表により、ＰＬＡＹキーが押されたと認識する。
【０００７】
また、ＨＯＬＤ−ＳＷのＯＦＦ時にＭＤ再生装置にリモコンを接続すると、信号ＲＫＥＹには、プルアップ抵抗Ｒ２１とリモコンの抵抗Ｒ９〜Ｒ１９の直列等価抵抗によって分圧された電圧が出力される。この時、図１の抵抗Ｒ９の抵抗値により、信号ＲＫＥＹの分圧比及びその電圧が変化する。図３の割付表に従い、図１（ａ），（ｂ）のように、抵抗Ｒ９の値を設定することにより、すなわち、非漢字対応リモートコントローラの場合は１５０ｋΩ、漢字対応リモートコントローラの場合は４７ｋΩに設定することにより、ＨＯＬＤ−ＳＷがＯＦＦの時、リモートコントローラの種類（非漢字対応または漢字対応）を判別することが可能となる。
【０００８】
一方、ＨＯＬＤ−ＳＷがＯＮ時においてＭＤ再生装置側にリモコンを接続すると、図１（ａ），（ｂ）の回路より、ＭＤ再生装置側の信号ＲＫＥＹには、ＭＤ再生装置側のプルアップ抵抗Ｒ２１と、リモコン側の抵抗Ｒ２０（非漢字対応リモートコントローラの場合はＲ２０＝０ｋΩ、漢字対応リモートコントローラの場合はＲ２０＝１．５ｋΩ）と、によって分圧された電圧が出力される。従って、図３の割付表から、図１のように、抵抗Ｒ２０の値を設定することにより、ＨＯＬＤ−ＳＷがＯＮの時、リモートコントローラの種類を特定することが可能となる。
【０００９】
【特許文献１】
特開２００２−２２２０４０号公報（図２）
【００１０】
【発明が解決しようとする課題】
ここで、ＨＯＬＤ−ＳＷのＯＮと共に、他のキーを同時に押した場合、漢字対応リモートコントローラでは、リモコン側の回路は等価的に図２のような回路で示されることとなる。即ち、抵抗Ｒ２０と他のＳＷに直列に入った抵抗が並列に接続されることとなる。例えば、ＰＬＡＹキーをＨＯＬＤ−ＳＷと同時に押した場合、等価的に抵抗Ｒ２０とＲ１９が並列に接続されることとなる。
【００１１】
この場合、ＭＤ再生装置側の信号ＲＫＥＹには、この並列等価抵抗と、ＭＤ再生装置側のプルアップ抵抗Ｒ２１によって分圧された電圧が出力される。この時の抵抗分圧比は０．０４３となる。図３の割付表により、この場合のリモートコントロールの内容（キーの種類）はＰＬＡＹキーに特定される。
【００１２】
しかしながら、図３の割付表にてキーの検出に範囲を持たせているのは、検出回路を構成する抵抗の誤差やマイコンのＡＤ変換回路の誤差を考慮したものになっているためであり、ＰＬＡＹキーをＨＯＬＤ−ＳＷと同時に押した場合、それらの誤差によって、図３の割付表で設定した範囲外に値が検出されることもあり得る。
【００１３】
従って、ＨＯＬＤ−ＳＷのＯＮ時にリモートコントロールの判別が出来なくなることもあり得る。これを回避する為にマイコン側の検出精度を上げることも有効であるが、この場合、精度を上げることによってＭＤ再生装置のマイコンソフトウェアが煩雑で大規模になる。
【００１４】
本発明は、このような実情に鑑みてなされ、従来の割付表をそのまま利用し、リモコン側の検出回路を変更することによって、ＨＯＬＤ−ＳＷのＯＮ時にも容易かつ確実にリモートコントロールの判別を行えるリモートコントロールシステムを提供することを目的とする。
【００１５】
【課題を解決するための手段】
本発明は、上述の課題を解決するための手段を以下のように構成している。
【００１６】
（１）  一端側が電源部に繋がり、本体側に設けられる第１の抵抗と、リモートコントローラ側に設けられた複数のモードに対応して、それぞれ並列に設けられ、各々一方が接地される複数のモード設定スイッチと、前記リモートコントローラ側に設けられたモード設定スイッチより前段に、前記モード設定スイッチと並列に設けられて、一端側が接地され、他端側が前記第１の抵抗の他端側に接続されるホールドスイッチと、前記複数のモード設定スイッチ間、及び、前記複数のモード設定スイッチ他端側に、互いに直列に設けられるモード選択に対応するための複数の第２の抵抗と、前記電圧設定抵抗の最終段に設けられる低抗値の低い第３の抵抗又は抵抗値の高い第４の抵抗と、を備え、
さらに、前記第１の抵抗の他端部と前記ホールドスイッチ間に、第５の抵抗が設けられていることを特徴とする。
【００１７】
この構成においては、ホールドスイッチのＯＮ時においても、他のキーのＯＮ／ＯＦＦに関わらず、ただ１点の抵抗値を変更することによって、リモートコントロールの種類を特定することが可能となる。すなわち、ホールドスイッチのＯＮ時には第５の抵抗（誤判定防止用抵抗，Ｒ２０）の抵抗値、ホールドスイッチのＯＦＦ時には第３又は第４の抵抗（文字選択判別用抵抗，Ｒ９）の抵抗値、によって、それぞれリモートコントロールの種類を特定することが可能となる。
【００１８】
また、本発明によれば、ＭＤ再生装置側のマイコンの検出精度を上げる必要もなく、従来の検出精度でのキー入力判別が可能である。
【００１９】
【発明の実施の形態】
以下に、本発明の実施形態に係るリモートコントロールシステムについて詳細に説明する。
【００２０】
図４（ａ）は非漢字リモートコントローラ（リモコン）の回路図、図４（ｂ）は漢字対応リモートコントロール（リモコン）の回路図をそれぞれ示す。即ち、これらの回路は、ホールドスイッチＳＷ（図１のＨＯＬＤ−ＳＷに対応）の接地側に直列に配した抵抗Ｒ２０を、ホールドスイッチＳＷの信号側とマイコンのプルアップ抵抗Ｒ２１の間に挿入している点が、図１の回路と異なる。
【００２１】
詳しくは、このリモートコントロールシステムは、一端側が電源部に繋がり、本体側に設けられるプルアップ抵抗（本発明の第１の抵抗）Ｒ２１と、リモートコントローラ側に設けられた複数のモードに対応して、それぞれ並列に設けられ、各々一方が接地される複数のモード設定スイッチＳ１〜Ｓ１０と、リモートコントローラ側に設けられたモード設定スイッチＳ１〜Ｓ１０より前段に、モード設定スイッチＳ１〜Ｓ１０と並列に設けられて、一端側が接地され、他端側がプルアップ抵抗Ｒ２１の他端側に接続されるホールドスイッチＳＷと、複数のモード設定スイッチ間、及び、前記複数のモード設定スイッチ他端側に、互いに直列に設けられるモード選択に対応するための複数の電圧設定抵抗（本発明の第２の抵抗）Ｒ１０〜Ｒ１９と、電圧設定抵抗Ｒ１０〜Ｒ１９の最終段に、抵抗値の低いカナ表示設定用抵抗（本発明の第３の抵抗）又は抵抗値の高い漢字表示設定用抵抗（本発明の第４の抵抗）のどちらかが設けられる文字選択判別用抵抗Ｒ９と、を備え、さらに、プルアップ抵抗Ｒ２１の他端部とホールドスイッチＳＷ間に、誤判定防止用抵抗（本発明の第５の抵抗）Ｒ２０を設けている。
【００２２】
図４（ａ），（ｂ）の回路において、リモコンの判別は、ホールドスイッチＳＷのＯＮ時には、ＭＤ再生装置側の信号ＲＫＥＹは、ＭＤ再生装置側のプルアップ抵抗Ｒ２１及びリモコン側の抵抗Ｒ２０によって分圧された電圧が出力される。この時は、先に述べたように、図３の割付表に従い、図４（ａ），（ｂ）のように、抵抗Ｒ２０の値を設定することにより、ホールドスイッチＳＷのＯＮ時に、リモートコントロールの種類を特定することが出来る。
【００２３】
ここで、他のキーがホールドスイッチＳＷと同時に押された時の漢字リモートコントローラは、先の場合と異なり、図２で示される等価回路にはならない。即ち、先の場合と同じく、例えば、ＰＬＡＹキーを同時に押した時、図４（ｂ）において、抵抗Ｒ１９の両端はどちらとも接地しており、抵抗Ｒ１９の抵抗値は、ＭＤ再生装置側の信号ＲＫＥＹの電圧値に何ら影響を与えず、信号ＲＫＥＹの電圧値は、ＭＤ再生装置側のプルアップ抵抗Ｒ２１及びリモコン側の抵抗Ｒ２０による分圧比のみで決定される。
【００２４】
従って、ホールドスイッチＳＷのＯＮ時、他のキーを同時に押したかどうかに関わらず、図３に示される割付表に従い、抵抗Ｒ２０の値を図４（ａ）（ｂ）のように決定すれば、リモートコントロールの種類を特定することが可能となる。
【００２５】
また、図４（ａ），（ｂ）の回路では、抵抗Ｒ２０が、他のモード設定用抵抗Ｒ１０〜Ｒ１９と直列に挿入されるために、図３に示される割付表を使用するには、非漢字リモートコントローラでは、抵抗Ｒ１９＝３．３ｋ、抵抗Ｒ２０＝０と設定し、漢字対応リモートコントローラでは抵抗Ｒ１９＝１．８ｋ、抵抗Ｒ２０＝１．５ｋと抵抗Ｒ２０に抵抗を挿入した分だけ、抵抗Ｒ１９の値を差し引く必要がある。
【００２６】
従って、図４（ａ），（ｂ）のように、非漢字対応リモートコントローラ，漢字対応リモートコントローラの回路を構成すれば、他のキーに関係なく、ホールドスイッチＳＷのＯＮ時には抵抗Ｒ２０の抵抗値、ホールドスイッチＳＷのＯＦＦ時には抵抗Ｒ９の抵抗値、によって、それぞれリモートコントロールの種類を特定することが可能となる。
【００２７】
【発明の効果】
以上の説明から明らかなように、本発明は、以下の効果を奏する。
【００２８】
（１）ホールドスイッチのＯＮ時においても、他のキーのＯＮ／ＯＦＦに関わらず、ただ１点の抵抗値を変更することによって、リモートコントロールの種類を特定することが可能となる。
【００２９】
また、本発明によれば、ＭＤ再生装置側のマイコンの検出精度を上げる必要もなく、従来の検出精度でのキー入力判別が可能となる。
【図面の簡単な説明】
【図１】従来の非漢字対応リモートコントローラ及び漢字対応リモートコントローラの回路図である。
【図２】同漢字対応リモートコントローラにてホールドスイッチのＯＮ時に他のキーを同時に押した時の等価回路図である。
【図３】同ＭＤ再生装置側の信号ＲＫＥＹのそれぞれのモードキー割付表である。
【図４】本発明における非漢字対応リモコンコントローラ及び漢字対応リモコンコントローラの回路図である。
【符号の説明】
Ｒ９−第３の抵抗又は第４の抵抗（文字選択判別用抵抗）
Ｒ１０〜Ｒ１９−第２の抵抗（電圧設定抵抗）
Ｒ２０−第５の抵抗（誤判定防止用の抵抗）
Ｒ２１−第１の抵抗（プルアップ抵抗）
ＳＷ−ホールドスイッチ
Ｓ１〜Ｓ１０−モード設定スイッチ
【図１】
2004350211.tif 000003
【図２】
2004350211.tif 000004
【図３】
2004350211.tif 000005
【図４】
2004350211.tif 000006